(57)【要約】【課題】  この発明は、人体を上下画面から高温度（３９−４１℃）加温し体内温度を４１℃にし、所定時間保持する事により細胞内のタンパク質に熱ストレスを与えて熱ショック蛋白質（ＨＳＰ）の増感を促すことを目的に作り出した高温度全身加温装置である。【解決手段】敷き布団状の下部加温装置の上面に仰向けに寝る（図−２）次に掛け布団状の上部加温装置により体躯に沿って上下両面のごく近い距離から連続加温を実施し体内温（食道内・直腸内等）を４１℃に上昇させ所定の時間保持し温熱ショック蛋白質（ＨＳＰ）の誘誘導をはかり、ガン細胞を致死させ、正常細胞の活性化と免疫力の向上を促す高温度全身加温装置の発明である。【選択図】  図−１
2005199012.tif 000002
【特許請求の範囲】
【請求項１】
加温時の脳内温度上昇を防止する為に頭と頸部の冷却装置を除く、肩から下の全身を布状のカーボン電気抵抗発熱体（図−２）を使用し、発熱部位が直接人体表面に接触しないように三次元構造で網状の緩衝材を介して体躯に沿って覆い、高温度（３９−４１℃）で加温し体内温度（食道内・直腸内温度）を４１℃に温度制御して設定時間温度を保ち熱ストレス  蛋白質（ｈｅａｔ  ｓｈｏｃｋ  ｐｒｏｔｅｉｎ）の誘導を促す高温度全身加温装置。
【発明の詳細な説明】
【発明の詳細な説明】
【技術分野】
【０００１】  この発明は、人の細胞内の蛋白質（ｐｒｏｔｅｉｎ）を所定の設計温度に制御して設定時間連続加温し熱ショック蛋白質（ＨＳＰ）を誘導する高温度全身加温装置である。
体躯にそって設置可能な、布状カーボン電気抵抗発熱体（図−２）を使用し温度３９〜４１℃で時間をかけ、徐々に加温し体内温度を３９〜４１℃に上げて所定の時間体内（食道内・直腸内）温度を４１℃に保持し熱ストレス蛋白質（ＨＳＰ）を誘導する高温度全身加温装置である。これは人の細胞内の蛋白質（Ｐ）を４１℃に加温して、熱ストレスを与え細胞内の蛋白質の変性を引き起こすことにより、癌細胞に対して致死効果を示すことから、温熱治療（ハイパーサーミア）としてガン治療に広く利用されている。温熱ストレスが癌細胞に対し多極分裂を誘導することにより細胞死を引き起こすことを目的とした高温度全身加温装置である。
【背景技術】
【０００２】  従来使用されている癌の温熱治療装置には（１）体外循環式全身加温装置があり血液を体外で４２℃に暖め体内に戻し体内温度を４２℃に保つ温熱療法や、（２）頭部を除く体躯に半円筒状の覆いを被せ内部壁面に発熱体を貼り付け約８０℃の高温度により、離れた位置から体を仰向けと俯せにして交互に加温をすることにより体内温度を４２℃に保つ全身加温装置や、（３）温湯（４２℃）を使用し局所又は全身を温湯に浸して体内温度４２℃に保つ全身加温装置で熱ストレス蛋白を誘導し温熱治療を行う。（１）の治療は全身には適なさい為に、現在は局所加温に使用されている（２）は発熱体の温度が約８０℃で高く加熱時に皮膚に与える感覚は夏の直射日光のような強い刺激がある。又人体正面と背面を交互に加温するため加温時間も長く装置内の温度調節も難しく、長時間（約１〜２時間）の加温により直腸内温度を４２℃に上昇させる為に可成り長く苦痛に耐えなければならない、また発熱体の温度が高く熱傷などの危険性もある、温熱治療を希望する多くの患者の意に即しない。（３）の温湯浴による全身温熱治療は浴槽の外で４２℃に湯を暖め浴槽に送り込み温度を保ち人体を浴槽に沈めて体内温度を４２℃に保ち癌の治療をする、しかし高い温湯に長時間（約１〜２時間）も浸かる事は患者に取って可成り難儀な事で耐え難い、４２℃の温湯で人体を加温することは難しく患者にとって大変な治療法である。しかしこれら温熱療法によりガン細胞の増殖を防ぎ破壊することが出来れば、たとえ多少の困難と時間を要しても、ほかに良い手段が無く、やもうえない事が現状である。
【発明が解決しようとする課題】
【０００３】  したがって、従来の装置で癌患者の人体加温治療が実施され、その有効性が立証されてきたが、装置やその実施方法に難点がある。しかし癌の治療には全身加温が優れた療法であることが治験の結果報告されていることから、癌患者に出来るだけ多く全身加温による温熱治療の機会を与えられる事が望ましい。
本発明は、こうした問題点を解決し、多くの癌患者の希望に添えるような、簡単で容易に全身加温治療をすることの出来る装置の発明である。
【課題を解決する手段】
【０００４】  本発明の特徴である布状カーボン電気抵抗発熱体（図−２）が織布した発熱体で体躯になじみやすく頸部から上（頭部）を除く全体を人体表皮に発熱面が直接接触しないように、厚みの同じゴム弾性と二次元構造で網状の緩衝材（エアーフィルター）で１５〜２０ｍｍの隙間を開けて布状カーボン電気抵抗発熱体を体躯に沿って覆い（図−３）布状カーボン電気抵抗発熱体の遠赤外線輻射熱により加温して、体内温度（食道内・直腸内）を上昇させ３９〜４１℃に保持し熱ストレス蛋白質を誘導する装置である。加温時には、熱の局所溜まりと低温熱傷を防ぐため患者の表皮と遠赤外線放射体表面との隙間を開けるために約１５〜２０ｍｍ厚の三次元構造で網状の緩衝材（通気性に優れたエアーフィルター）を間にい入れて隙間を開け（図−４）皮膚呼吸を容易にして加温時の発汗作用を促進し、常時無駄なく人体を均一に加温することが出来る。
加温時の布状カーボン電気抵抗発熱体の温度も３９〜４１℃で加温することにより、体内温を４１℃（食道内、直腸内）に上昇させる事が容易に出来る、これは布状カーボン電気発熱体から放射される遠赤外線波形７〜１０μと人体から放射される遠赤外線波形７〜１０μが共振することにより発熱体の温度が３８〜４０℃でも体内温度を３９〜４１℃に上昇させて、熱ショック蛋白質を誘導することが出来る、温熱治療を受ける患者には基礎体温に近い温度で加温することにより加温による不快感を少なくすることが出来る。
本発明で使用する布状カーボン電気抵抗発熱体から放射する遠赤外線は太陽（黒色放射対）から放射する遠赤外線の波形によく似た波形（灰色放射体）としてとらえることが出来る、太陽光には４０％の可視光線と６０％の赤外線が含まれていて、生物（人）に照射しても何ら不都合が起きない、これが太陽の恵みである、本発明による布状カーボン電気抵抗発熱体による遠赤外線放射装置（灰色放射対）は設定温度が４０℃と人体には害がなくその安全性が裏付けられる。
布状カーボン電気抵抗発熱体の使用により人体の各部位の極めて近い位置（約１５〜２０ｍｍ間隔）（図−４）から体温に近い温度（３９〜４１℃）の遠赤外線を放射し、加温時間も継続することが出来、患者に負担の掛からない状態で熱ストレス蛋白質の誘導をさせることが出来る。又本発明による全身加温装置は従前の装置に比べ取り扱いも簡易に出来る。
【発明の実施形態】
【０００５】  本発明で実施される高温度全身加温装置は布状のカーボン電気抵抗発熱体を漏電・電気ショック防止の為、絶縁シート（合成ゴム素材）で覆い（図−２）安全性を確保する。体躯を仰向けに寝かした状態で頭部と頸部をのぞく残りの部位の上下両面に通気性のある緩衝材（厚約１５〜２０ｍｍ）を配置しその上下から体躯に接触しないように絶縁処理した布状電気カーボン発熱体を設置する（図−３）。次に体内温度（直腸内・食道内）の測定をするためのセンサーを食道内および直腸内に装着し温度制御装置（図−５）に接続して体内温度を４１℃に保時するように発熱体の電流制御をすることにより、発熱部の温度制御をする。  発熱体を取り付けた外側を断熱用素材により、加温時に熱が逃げないように覆い被せる（図−３）。次に頭内部（脳）の温度上昇を防ぐ為に冷却装置（ゴムチューブ）を首の周囲に巻きつけて冷却水１０〜１５℃を通して、加温時の脳内温度過昇を防止する（図−３）。計測装置の安全確認の為に３９℃で予備加温１時間の試験運転を実施し、温度制御の作動状態を十分に調査完了後に高温度全身加温を実施する。
【実施例】
【０００６】  本発明の実施形態を述べると、病室のベットの上に本装置の下部を敷きマット同様に敷く、次に治療を受ける患者を仰向けに寝かせ（図−３）上部カバーで覆い加温時に熱が逃げないように断熱する（図−４）、患者の後頭部の冷却に水枕、頸部には冷却用のゴ厶チュウブを巻き付け頸部の冷却をし、脳内温度の上昇防止と安全を確保する。温度測定用センサーを人体内部（食道内、直腸内）と内耳に装着し各々の端子を本装置の外部に引き出し外部制御装置（温度・電流・時間）（図−５）に接続し温度の制御を実施しながら人体の連続加温を実施し熱ショック蛋白質（ＨＳＰ）を誘導する。実施に当たり予備加温（３８〜４０℃）を行い安全に加温するために異常部位を調査し安全の確認を必修とする。尚制御温度は体内温度を４１℃とし内耳温度は３８℃以下とする。
【発明の効果】
【０００７】  本発明により従来の装置に比べて本装置の取り扱いも簡単に出来、全身加温時の温度管理（制御温度４１℃）も十分に出来、副作用も無く、装置も容易に入手出来、全身加温治療を受ける患者も加温による不快を感ずることなく、特別な設備も要しない為に病室のベットの上で全身温熱加温により熱ショック蛋白質（ＨＳＰ）の誘導が出来、癌細胞を致死させ、正常細胞の活性化と免疫力の強化を促し、多くの患者の希望に添い高温度温熱治療が出来ることは、今後癌の温熱治療に貢献することができる。
【図面の簡単な説明】
【図１】  本発明の三面図
【図２】  本発明の発熱体三面図
【図３】  本発明の使用時三面図
【図４】  本発明の断面図
【図５】  本発明の運転制御装置図
【符号の説明】
（１）加温用発熱体    （２）上部加温装置    （３）下部加温装置
（４）電源コード    （５）布カバー    （６）三次元構造の緩衝材
（７）外部断熱用覆い    （８）温度センサー    （９）体躯
（１０）体内用温度センサー    （１１）頸部冷却装置
（１２）絶縁シート    （１３）電極線    （１４）冷却用水枕
（１５）導電性発熱糸
【図−１】
2005199012.tif 000003
【図−２】
2005199012.tif 000004
【図−３】
2005199012.tif 000005
【図−４】
2005199012.tif 000006
【図−５】
2005199012.tif 000007